(57)【特許請求の範囲】
【請求項１】
異なる内容物を収容する複数の包装体を重ねた状態で挟持する一対の挟持部を有する本体カバー部を備え、
該本体カバー部には、前記複数の包装体の各吐出側端部を保持する第１保持部と、前記複数の包装体の各反吐出側端部を保持する第２保持部とが設けられ、
前記本体カバー部の前記一対の挟持部を押圧することにより、該一対の挟持部に挟持された前記複数の包装体を押圧し、該複数の包装体から前記各内容物を同時に吐出可能に構成され、
前記本体カバー部は、一方の前記挟持部の一端から折り曲げて延設されると共に他方の前記挟持部に係合する延設係合部を有することを特徴とする吐出用部材。
【請求項２】
前記本体カバー部は、前記複数の包装体から吐出された前記各内容物を塗布するための塗布具を装着可能に構成されていることを特徴とする請求項１に記載の吐出用部材。
【請求項３】
前記他方の挟持部は、前記一方の挟持部の他端から折り曲げて延設されていることを特徴とする請求項１又は２に記載の吐出用部材。
【請求項４】
前記本体カバー部における前記一方の挟持部と前記延設係合部との間に形成された第１折り曲げ部には、前記第１保持部及び前記第２保持部のうちの一方が設けられ、前記一方の挟持部と前記他方の挟持部との間に形成された第２折り曲げ部には、前記第１保持部及び前記第２保持部のうちの他方が設けられていることを特徴とする請求項３に記載の吐出用部材。
【請求項５】
前記吐出用部材が前記複数の包装体を収容可能なパッケージの少なくとも一部によって構成されていることを特徴とする請求項１〜４のいずれか１項に記載の吐出用部材。
【請求項６】
毛髪化粧料を吐出するための吐出用部材であって、
異なる内容物を収容する複数の包装体を重ねた状態で挟持する一対の挟持部を有する本体カバー部を備え、
該本体カバー部には、前記複数の包装体の各吐出側端部を保持する第１保持部と、前記複数の包装体の各反吐出側端部を保持する第２保持部とが設けられ、
前記本体カバー部の前記一対の挟持部を押圧することにより、該一対の挟持部に挟持された前記複数の包装体を押圧し、該複数の包装体から前記各内容物を同時に吐出可能に構成され、
前記本体カバー部は、前記複数の包装体から吐出された前記各内容物を塗布するための、櫛歯が設けられた塗布具を装着可能に構成されており、
前記吐出用部材が前記複数の包装体を収容可能なパッケージの少なくとも一部によって構成されている
ことを特徴とする吐出用部材。
【請求項７】
請求項１〜６のいずれか１項に記載の吐出用部材の使用方法であって、
前記本体カバー部の前記第１保持部に、前記複数の包装体の前記各吐出側端部を保持する第１保持工程と、
前記本体カバー部の前記第２保持部に、前記複数の包装体の前記各反吐出側端部を保持する第２保持工程と、
前記本体カバー部の前記一対の挟持部によって前記複数の包装体を重ねた状態で挟持する挟持工程と、
前記本体カバー部の前記一対の挟持部を押圧し、前記複数の包装体から前記各内容物を同時に吐出する吐出工程とを有することを特徴とする吐出用部材の使用方法。
【発明の詳細な説明】
【技術分野】
【０００１】
本発明は、吐出用部材及びその使用方法に関する。
【背景技術】
【０００２】
従来、例えば染毛剤等の毛髪化粧料は、パウチ、チューブ容器等、外部からの押圧により内容物を吐出する包装体に収容されている。包装体から内容物を吐出させるためには、包装体を指で直接押圧する以外に、押圧操作を補助する吐出用部材等を用いることもできる。
【０００３】
こうした吐出用部材を用いれば、包装体を指で局所的に押圧する場合に比べて、内容物を良好に吐出させやすくなる。例えば、特許文献１、２には、異なる内容物（染毛剤の第１剤及び第２剤）を収容する２つの包装体を押圧し、それぞれの内容物を同時に吐出させるための吐出容器や吐出装置が開示されている。
【先行技術文献】
【特許文献】
【０００４】
【特許文献１】特開平０９−２０７９５２号公報
【特許文献２】特開２００３−１４６３８０号公報
【発明の概要】
【発明が解決しようとする課題】
【０００５】
しかしながら、特許文献１の吐出容器は、包装体を収容するための保持容器、包装体を押圧するための押圧部材等を必要とし、資材点数が多く、構造が複雑である。また、押圧操作も決して容易とは言えない。また、特許文献２の吐出装置は、同様に資材点数が多く、構造が複雑である。また、包装体の保持が不十分であり、包装体の位置ずれが生じやすい。そのため、包装体の押圧や内容物の吐出を安定して行うことが困難である。
【０００６】
本発明は、かかる背景に鑑みてなされたものであり、簡易な構成でありながら、異なる内容物を収容する複数の包装体を押圧して各内容物を同時に吐出させることが容易な吐出用部材及びその使用方法を提供しようとするものである。
【課題を解決するための手段】
【０００７】
本発明の一の態様は、異なる内容物を収容する複数の包装体を重ねた状態で挟持する一対の挟持部を有する本体カバー部を備え、該本体カバー部には、前記複数の包装体の各吐出側端部を保持する第１保持部と、前記複数の包装体の各反吐出側端部を保持する第２保持部とが設けられ、前記本体カバー部の前記一対の挟持部を押圧することにより、該一対の挟持部に挟持された前記複数の包装体を押圧し、該複数の包装体から前記各内容物を同時に吐出可能に構成されていることを特徴とする吐出用部材にある。
【０００８】
前記吐出用部材は、本体カバー部の一対の挟持部によって複数の包装体を重ねた状態で挟持し、本体カバー部の第１保持部及び第２保持部において複数の包装体の吐出側端部及び反吐出側端部を保持する。そのため、簡易な構成でありながら、重ねた状態の複数の包装体を十分かつ確実に保持でき、複数の包装体の位置ずれを抑制できる。
【０００９】
これにより、本体カバー部の一対の挟持部を押圧するといった簡単な操作で、重ねた状態の複数の包装体を容易かつ安定的に押圧でき、複数の包装体から各内容物を同時に吐出させやすくなる。例えば、複数の包装体から異なる内容物を同時に同量吐出させる性能（同時同量吐出性）を高めることができる。また、資材点数削減やコスト低減を図ることができる。
【００１０】
本発明の他の態様は、前記吐出用部材の使用方法であって、前記本体カバー部の前記第１保持部に、前記複数の包装体の前記各吐出側端部を保持する第１保持工程と、前記本体カバー部の前記第２保持部に、前記複数の包装体の前記各反吐出側端部を保持する第２保持工程と、前記本体カバー部の前記一対の挟持部によって前記複数の包装体を重ねた状態で挟持する挟持工程と、前記本体カバー部の前記一対の挟持部を押圧し、前記複数の包装体から前記各内容物を同時に吐出する吐出工程とを有することを特徴とする吐出用部材の使用方法にある。
【００１１】
前記吐出用部材の使用方法は、前述のとおり、第１保持工程、第２保持工程、挟持工程及び吐出工程を有する。そのため、本体カバー部の一対の挟持部、第１保持部及び第２保持部によって複数の包装体を十分かつ確実に保持した状態で、本体カバー部の一対の挟持部を押圧することができる。
【００１２】
これにより、重ねた状態の複数の包装体を容易かつ安定的に押圧でき、複数の包装体から各内容物を同時に吐出させやすくなる。例えば、前述の同時同量吐出性を高めることができる。また、複数の包装体に対する押圧操作が簡単であるため、吐出用部材の操作性、使用性等を良好なものとすることができる。
【００１３】
このように、本発明によれば、簡易な構成でありながら、異なる内容物を収容する複数の包装体を押圧して各内容物を同時に吐出させることが容易な吐出用部材及びその使用方法を提供することができる。
【００１４】
また、前記吐出用部材において、前記本体カバー部は、一方の前記挟持部の一端から折り曲げて延設されると共に他方の前記挟持部に係合する延設係合部を有し、前記他方の挟持部は、前記一方の挟持部の他端から折り曲げて延設されていてもよい。この場合には、本体カバー部の一対の挟持部及び延設係合部を一体的に形成することが可能となる。これにより、吐出用部材をより簡易な構成とすることができる。
【００１５】
また、前記本体カバー部における前記一方の挟持部と前記延設係合部との間に形成された第１折り曲げ部には、前記第１保持部及び前記第２保持部のうちの一方が設けられ、前記一方の挟持部と前記他方の挟持部との間に形成された第２折り曲げ部には、前記第１保持部及び前記第２保持部のうちの他方が設けられていてもよい。この場合には、一対の挟持部によって複数の包装体を挟持し、一対の挟持部の両端（第１折り曲げ部、第２折り曲げ部）において複数の包装体の吐出側端部及び反吐出側端部を保持できる。これにより、複数の包装体の位置ずれを十分に抑制でき、複数の包装体をより安定的に押圧できる。
【００１６】
また、前記本体カバー部は、前記複数の包装体から吐出された前記各内容物を塗布するための塗布具を装着可能に構成されていてもよい。この場合には、複数の包装体から吐出された各内容物を混合しながら塗布する作業が容易となる。例えば、毛髪上において、２つの包装体から吐出された染毛剤の第１剤及び第２剤を混合しながら塗布することができる。また、染毛剤の第１剤及び第２剤を染毛用トレーや染毛コーム等の別資材に吐出させなくてもよく、簡便である。
【００１７】
また、前記吐出用部材は、前記複数の包装体を収容可能なパッケージの少なくとも一部によって構成されていてもよい。この場合には、複数の包装体を収容するパッケージが複数の包装体から各内容物を同時に吐出させる吐出用部材としても機能する。これにより、資材点数削減やコスト低減を図ることができる。
【図面の簡単な説明】
【００１８】
【図１】実施形態１における、吐出用部材を示す斜視図である。
【図２】実施形態１における、吐出用部材の構造を示す一部断面説明図である。
【図３】実施形態１における、展開した本体カバー部及び２つの包装体を示す説明図である。
【図４】実施形態１における、吐出用部材の使用方法において、（Ａ）は第１保持工程及び第２保持工程を示す説明図であり、（Ｂ）及び（Ｃ）は挟持工程を示す説明図である。
【図５】実施形態１における、吐出用部材の使用方法において、吐出工程を示す説明図である。
【図６】その他の実施形態における、吐出用部材を示す斜視図である。
【図７】その他の実施形態における、吐出用部材の構造を示す一部断面説明図である。
【図８】その他の実施形態における、展開した本体カバー部及び２つの包装体を示す説明図である。
【発明を実施するための形態】
【００１９】
以下、本発明の実施形態を図面と共に説明する。
（実施形態１）
図１〜図３に示すように、本実施形態の吐出用部材１は、異なる内容物８１０、８２０を収容する複数の包装体８１、８２を重ねた状態で挟持する一対の挟持部（第１挟持部２１、第２挟持部２２）を有する本体カバー部２を備えている。本体カバー部２には、複数の包装体８１、８２の各吐出側端部８１１、８２１を保持する第１保持部３１と、複数の包装体８１、８２の各反吐出側端部８１２、８２２を保持する第２保持部３２とが設けられている。
【００２０】
そして、吐出用部材１は、本体カバー部２の一対の挟持部（第１挟持部２１、第２挟持部２２）を押圧することにより、一対の挟持部（第１挟持部２１、第２挟持部２２）に挟持された複数の包装体８１、８２を押圧し、複数の包装体８１、８２から各内容物８１０、８２０を同時に吐出可能に構成されている。以下、これを詳説する。
【００２１】
なお、本実施形態では、２つの包装体８１、８２の内容物８１０、８２０を吐出させる側（図１において本体カバー部２に後述する塗布具５が装着されている側、図２において２つの包装体８１、８２の後述する吐出口８１４、８２４が向いている側）を先端側とし、その反対側を後端側とする。図１、図２に示した矢印の「先」とは先端側を表し、「後」とは後端側を表す。
【００２２】
図１〜図３に示すように、吐出用部材１は、異なる内容物８１０、８２０を収容する２つの包装体８１、８２を重ねた状態で保持するための本体カバー部２を備えている。本体カバー部２には、２つの包装体８１、８２から吐出された各内容物８１０、８２０を混合しながら塗布するための塗布具５が装着されている。
【００２３】
図３に示すように、本体カバー部２は、展開形状に型抜きされた１枚の板状のプラスチックシートにより構成されている。本体カバー部２は、２つの包装体８１、８２を収容可能なパッケージ（図示略）の一部を用いて構成されている。ここでのパッケージとは、例えば、２つの包装体８１、８２を収容可能な商品小箱や染毛セット小箱等である。
【００２４】
同図に示すように、各包装体８１、８２は、外部からの押圧により内容物８１０、８２０を吐出する包装体（パウチ）である。本実施形態では、内容物８１０、８２０がそれぞれ染毛剤（ヘアカラー）の第１剤、第２剤である。各包装体８１、８２には、内容物８１０、８２０を吐出する際に先端部８１９、８２９が切り取られて吐出口８１４、８２４が形成される突出片８１３、８２３が設けられている。各包装体８１、８２は、吐出口８１４、８２４が形成された状態で外部から押圧されることにより、内容物８１０、８２０を吐出口８１４、８２４から吐出することができる。なお、各包装体８１、８２は、互いが接触する面の一部又は全部に滑り防止のためのエンボス加工等が施されていてもよい。
【００２５】
図１〜図３に示すように、本体カバー部２は、１枚の板状のプラスチックシートを折り曲げて形成されている。本体カバー部２は、２つの包装体８１、８２を重ねた状態で挟持する第１挟持部２１及び第２挟持部２２と、第１挟持部２１の先端から折り曲げて延設される延設係合部２３とを有している。第２挟持部２２は、第１挟持部２１の後端から折り曲げて延設されている。本体カバー部２を構成する第１挟持部２１、第２挟持部２２及び延設係合部２３は、一体的に形成されている。
【００２６】
延設係合部２３には、第２挟持部２２に係合する四角形状の係合片２３１が設けられている。係合片２３１は、延設係合部２３に切り込みを入れて形成されている。第２挟持部２２には、延設係合部２３の係合片２３１が差し込まれて係合される横長スリット状の被係合孔２２１が形成されている。延設係合部２３の係合片２３１は、第２挟持部２２の被係合孔２２１に差し込まれている。これにより、延設係合部２３は、第２挟持部２２に係合される。そして、重ねた状態の２つの包装体８１、８２は、第１挟持部２１及び第２挟持部２２によって挟持される。
【００２７】
第１挟持部２１と延設係合部２３との間には、第１折り曲げ部４１が形成されている。第１折り曲げ部４１には、第１保持部３１が形成されている。第１保持部３１は、２つの包装体８１、８２の吐出側端部８１１、８２１を挿通させて保持する横長スリット状の貫通孔である。第１保持部３１には、２つの包装体８１、８２の吐出側端部８１１、８２１が挿通保持されている。
【００２８】
第１挟持部２１と第２挟持部２２との間には、第２折り曲げ部４２が形成されている。第２折り曲げ部４２には、第２保持部３２が形成されている。第２保持部３２は、２つの包装体８１、８２の反吐出側端部８１２、８２２を挿通させて保持する横長スリット状の貫通孔である。第２保持部３２には、２つの包装体８１、８２の反吐出側端部８１２、８２２が挿通保持されている。
【００２９】
図２に示すように、吐出用部材１は、本体カバー部２の第１挟持部２１及び第２挟持部２２を両側から押圧することにより、第１挟持部２１及び第２挟持部２２に挟持された２つの包装体８１、８２を押圧することができる。２つの包装体８１、８２が押圧されることにより、２つの包装体８１、８２の各吐出口８１４、８２４から各内容物８１０、８２０が同時に吐出される。
【００３０】
図１に示すように、本体カバー部２の先端部２０１には、塗布具５が装着されている。塗布具５は、本体カバー部２に対して脱着可能に構成されている。塗布具５の先端には、２つの包装体８１、８２から吐出された内容物８１０、８２０を外部へと導く開口部５１が形成されている。開口部５１を挟んで互いに対向する位置には、それぞれ複数の櫛歯５２が設けられている。塗布具５の櫛歯５２を用いることにより、２つの包装体８１、８２から吐出された内容物８１０、８２０（染毛剤の第１剤、第２剤）を毛髪上で混合しながら毛髪に塗布することができる。
【００３１】
また、塗布具５の後端には、本体カバー部２の先端部２０１を差し込むためのスリット状の差し込み部５３が形成されている。塗布具５の差し込み部５３に本体カバー部２の先端部２０１（第１挟持部２１の先端部、第２挟持部２２の先端部、延設係合部２３）を差し込むことにより、延設係合部２３と第２挟持部２２との係合状態、本体カバー部２の第１保持部３１における２つの包装体８１、８２の吐出側端部８１１、８２１の保持状態を高めることができる。
【００３２】
次に、吐出用部材１の使用方法について説明する。
図４、図５に示すように、本実施形態の吐出用部材１の使用方法は、本体カバー部２の第１保持部３１に、複数の包装体８１、８２の各吐出側端部８１１、８２１を保持する第１保持工程と、本体カバー部２の第２保持部３２に、複数の包装体８１、８２の各反吐出側端部８１２、８２２を保持する第２保持工程と、本体カバー部２の一対の挟持部（第１挟持部２１、第２挟持部２２）によって複数の包装体８１、８２を重ねた状態で挟持する挟持工程と、本体カバー部２の一対の挟持部（第１挟持部２１、第２挟持部２２）を押圧し、複数の包装体８１、８２から各内容物８１０、８２０を同時に吐出する吐出工程とを有する。以下、これを詳説する。
【００３３】
まず、図４（Ａ）に示すように、展開した本体カバー部２の第１挟持部２１上に、２つの包装体８１、８２を重ねた状態で配置する。このとき、本体カバー部２の第１保持部３１に、２つの包装体８１、８２の吐出側端部８１１、８２１を挿通させて保持する。また、本体カバー部２の第２保持部３２に、２つの包装体８１、８２の反吐出側端部８１２、８２２を挿通させて保持する。
【００３４】
次いで、図４（Ｂ）に示すように、本体カバー部２の第１挟持部２１の後端から第２挟持部２２を折り曲げる。そして、２つの包装体８１、８２を上から覆うように第２挟持部２２を配置する。
【００３５】
次いで、図４（Ｃ）に示すように、本体カバー部２の第１挟持部２１の先端から延設係合部２３を折り曲げる。そして、延設係合部２３の係合片２３１を第２挟持部２２の被係合孔２２１に差し込む。これにより、延設係合部２３を第２挟持部２２に係合させる。そして、本体カバー部２の第１挟持部２１及び第２挟持部２２によって、２つの包装体８１、８２を重ねた状態で挟持する。
【００３６】
次いで、図５に示すように、本体カバー部２の先端部２０１に塗布具５を装着する。具体的には、塗布具５の差し込み部５３に本体カバー部２の先端部２０１を差し込む。これにより、吐出用部材１の組み立てを完了する。
【００３７】
次いで、同図に示すように、吐出用部材１における本体カバー部２の第１挟持部２１及び第２挟持部２２を手の指で挟んで両側から押圧する。これにより、第１挟持部２１及び第２挟持部２２に挟持された２つの包装体８１、８２が押圧され、２つの包装体８１、８２の吐出口８１４、８２４から各内容物８１０、８２０が同時に塗布具５の内部に吐出される（図２参照）。
【００３８】
その後、同図に示すように、吐出用部材１における塗布具５の櫛歯５２を用いて、２つの包装体８１、８２から吐出された内容物８１０、８２０（染毛剤の第１剤、第２剤）を毛髪上で混合しながら毛髪に塗布する。
【００３９】
次に、本実施形態の作用効果について説明する。
本実施形態の吐出用部材１は、本体カバー部２の一対の挟持部（第１挟持部２１、第２挟持部２２）によって複数の包装体８１、８２を重ねた状態で挟持し、本体カバー部２の第１保持部３１及び第２保持部３２において複数の包装体８１、８２の吐出側端部８１１、８２１及び反吐出側端部８１２、８２２を保持する。そのため、簡易な構成でありながら、重ねた状態の複数の包装体８１、８２を十分かつ確実に保持でき、複数の包装体８１、８２の位置ずれを抑制できる。
【００４０】
これにより、本体カバー部２の一対の挟持部（第１挟持部２１、第２挟持部２２）を押圧するといった簡単な操作で、重ねた状態の複数の包装体８１、８２を容易かつ安定的に押圧でき、複数の包装体８１、８２から各内容物８１０、８２０を同時に吐出させやすくなる。例えば、複数の包装体８１、８２から異なる内容物８１０、８２０を同時に同量吐出させる性能（同時同量吐出性）を高めることができる。また、資材点数削減やコスト低減を図ることができる。
【００４１】
また、本実施形態において、本体カバー部２は、一方の挟持部（第１挟持部２１）の一端（先端）から折り曲げて延設されると共に他方の挟持部（第２挟持部２２）に係合する延設係合部２３を有し、他方の挟持部（第２挟持部２２）は、一方の挟持部（第１挟持部２１）の他端（後端）から折り曲げて延設されている。そのため、本体カバー部２の一対の挟持部（第１挟持部２１、第２挟持部２２）及び延設係合部２３を一体的に形成することが可能となる。これにより、吐出用部材１をより簡易な構成とすることができる。
【００４２】
また、延設係合部２３には、他方の挟持部（第２挟持部２２）に係合する係合片２３１が設けられ、他方の挟持部（第２挟持部２２）には、延設係合部２３の係合片２３１が差し込まれて係合される被係合孔２２１が設けられている。そのため、延設係合部２３と第２挟持部２２との係合が容易となる。また、本実施形態では、本体カバー部２の先端部２０１に塗布具５が装着されている。すなわち、延設係合部２３と第２挟持部２２との係合部分に塗布具５が装着されている。そのため、両者の係合状態を十分かつ確実に維持することができる。
【００４３】
また、本体カバー部２における一方の挟持部（第１挟持部２１）と延設係合部２３との間に形成された第１折り曲げ部４１には、第１保持部３１が設けられ、一方の挟持部（第１挟持部２１）と他方の挟持部（第２挟持部２２）との間に形成された第２折り曲げ部４２には、第２保持部３２が設けられている。そのため、一対の挟持部（第１挟持部２１、第２挟持部２２）によって複数の包装体８１、８２を挟持し、一対の挟持部（第１挟持部２１、第２挟持部２２）の両端（第１折り曲げ部４１、第２折り曲げ部４２）において複数の包装体８１、８２の吐出側端部８１１、８２１及び反吐出側端部８１２、８２２を保持できる。これにより、複数の包装体８１、８２の位置ずれを十分に抑制でき、複数の包装体８１、８２をより安定的に押圧できる。
【００４４】
また、第１保持部３１及び第２保持部３２は、包装体８１、８２の吐出側端部８１１、８２１及び反吐出側端部８１２、８２２を挿通させて保持するスリットである。そのため、複数の包装体８１、８２を第１保持部３１及び第２保持部３２において容易かつ確実に保持することができる。
【００４５】
また、本体カバー部２は、複数の包装体８１、８２から吐出された各内容物８１０、８２０を塗布するための塗布具５を装着可能に構成されている。そのため、複数の包装体８１、８２から吐出された各内容物８１０、８２０を混合しながら塗布する作業が容易となる。例えば、本実施形態のように、毛髪上において、２つの包装体８１、８２から吐出された内容物８１０、８２０（染毛剤の第１剤、第２剤）を混合しながら塗布することができる。また、染毛剤の第１剤及び第２剤を染毛用トレーや染毛コーム等の別資材に吐出させなくてもよく、簡便である。
【００４６】
また、塗布具５は、本体カバー部２に対して脱着可能に構成されている。そのため、塗布具５を本体カバー部２から取り外して容易に洗浄することができる。すなわち、洗浄性に優れている。
【００４７】
また、吐出用部材１は、複数の包装体８１、８２を収容可能なパッケージの少なくとも一部によって構成されている。そのため、複数の包装体８１、８２を収容するパッケージが複数の包装体８１、８２から各内容物８１０、８２０を同時に吐出させる吐出用部材１としても機能する。これにより、資材点数削減やコスト低減を図ることができる。
【００４８】
本実施形態の吐出用部材１の使用方法は、前述のとおり、第１保持工程、第２保持工程、挟持工程及び吐出工程を有する。そのため、本体カバー部２の一対の挟持部（第１挟持部２１、第２挟持部２２）、第１保持部３１及び第２保持部３２によって複数の包装体８１、８２を十分かつ確実に保持した状態で、本体カバー部２の一対の挟持部（第１挟持部２１、第２挟持部２２）を押圧することができる。
【００４９】
これにより、重ねた状態の複数の包装体８１、８２を容易かつ安定的に押圧でき、複数の包装体８１、８２から各内容物８１０、８２０を同時に吐出させやすくなる。例えば、前述の同時同量吐出性を高めることができる。また、複数の包装体８１、８２に対する押圧操作が簡単であるため、吐出用部材１の操作性、使用性等を良好なものとすることができる。
【００５０】
このように、本実施形態によれば、簡易な構成でありながら、異なる内容物８１０、８２０を収容する複数の包装体８１、８２を押圧して各内容物８１０、８２０を同時に吐出させることが容易な吐出用部材１及びその使用方法を提供することができる。
【００５１】
（その他の実施形態）
本発明は、前述の実施形態に何ら限定されるものではなく、本発明を逸脱しない範囲において種々の態様で実施しうることはいうまでもない。
【００５２】
（１）前述の実施形態では、展開形状に型抜きされた１枚の板状のプラスチックシートを立体的に折り曲げて形成された本体カバー部２を例示したが、これに限定されるものではない。例えば、金型等により予め立体的に形成された板状のプラスチックケース（展開不能な形状）であってもよく、また紙箱であってもよい。
【００５３】
（２）前述の実施形態では、本体カバー部２の延設係合部２３と第２挟持部２２とは、係合片２３１を被係合孔２２１に係合させて固定しているが、両者の固定方法は、これに限定されるものではなく、他の固定方法を用いてもよい。
【００５４】
（３）前述の実施形態では、本体カバー部２の第１挟持部２１及び第２挟持部２２が一体的に形成されているが、これらを別体とすることもできる。第１挟持部２１及び第２挟持部２２を別体とした場合、例えば、両側の端部同士を固定部材等で固定してもよい。この場合、前述の実施形態のような延設係合部２３を省略することができる。
【００５５】
（４）前述の実施形態では、本体カバー部２の第１保持部３１及び第２保持部３２として、包装体８１、８２の吐出側端部８１１、８２１及び反吐出側端部８１２、８２２を挿通させて保持するスリットを例示したが、これに限定されるものではなく、包装体８１、８２の吐出側端部８１１、８２１及び反吐出側端部８１２、８２２を保持できる構造であればよい。
【００５６】
（５）前述の実施形態では、本体カバー部２の第１折り曲げ部４１に第１保持部３１を設け、第２折り曲げ部４２に第２保持部３２を設けたが、例えば、図６、図７に示すように、本体カバー部２の第１折り曲げ部４１に第２保持部３２を設け、第２折り曲げ部４２に第１保持部３１を設けてもよい。この場合、第２折り曲げ部４２の方に塗布具５が装着されることになる。これにより、包装体８１、８２が強く挟持されず、吐出口８１４、８２４の流路が確保され、内容物８１０、８２０が吐出されやすい。
【００５７】
（６）前述の実施形態では、本体カバー部２の延設係合部２３に四角形状の係合片２３１が設けられているが、係合片２３１の形状はこれに限定されるものではなく、例えば、図８に示すように、第２挟持部２２の被係合孔２２１に差し込みやすくするために、略半円形状としてもよい。
【００５８】
（７）前述の実施形態では、各包装体８１、８２の吐出側端部８１１、８２１に突出片８１３、８２３が設けられているが、例えば、図８に示すように、各包装体８１、８２の反吐出側端部８１２、８２２にも突出片８１５、８２５が設けられていてもよい。そして、この突出片８１５、８２５を本体カバー部２の第２保持部３２に挿通保持するようにしてもよい。また、突出片８１３、８１５、８２３、８２５の形状は、略四角形状であるが、これに限定されるものではなく、角部が円弧状に形成されていてもよい。
【００５９】
（８）前述の実施形態では、吐出用部材１の使用方法において、第１保持工程及び第２保持工程を行った後、挟持工程を行ったが、これらの工程の順序はこれに限定されるものではなく、各工程の順序を入れ替えて行ってもよい。また、これらの工程が同時に行われるようにしてもよい。
【００６０】
（９）前述の実施形態では、本体カバー部２の第１保持部３１及び第２保持部３２に包装体８１、８２の吐出側端部８１１、８２１及び反吐出側端部８１２、８２２を挿通させて保持した後、本体カバー部２を折り曲げ、延設係合部２３を第２挟持部２２に係合させた。例えば、本体カバー部２を折り曲げ、延設係合部２３を第２挟持部２２に係合させた後、本体カバー部２の第１保持部３１又は第２保持部３２より包装体８１、８２を挿入し、第１保持部３１及び第２保持部３２に包装体８１、８２の吐出側端部８１１、８２１及び反吐出側端部８１２、８２２を保持してもよい。本体カバー部２の第２保持部３２より包装体８１、８２を挿入する場合、包装体８１、８２の突出片８１３、８２３の幅をａ、包装体８１、８２の反吐出側端部８１２、８２２の幅をｂ、本体カバー部２の第１保持部３１のスリット幅をｃとした場合、ａ＜ｂ＜ｃの関係を満たすことが好ましい。包装体８１、８２を挿入しやすく、包装体８１、８２が保持されやすいため、包装体８１、８２から内容物８１０、８２０が吐出されやすい。
【００６１】
（１０）前述の実施形態では、塗布具５に櫛歯５２を設けたが、例えば、櫛歯の代わりにブラシや刷毛を設けてもよい。
（１１）前述の実施形態では、包装体８１、８２としてパウチを例示したが、これに限定されるものではなく、例えばチューブ容器を用いてもよい。
【００６２】
（１２）前述の実施形態では、包装体８１、８２に収容される内容物８１０、８２０として染毛剤（ヘアカラー）の第１剤、第２剤を例示したが、これに限定されるものではなく、例えば他の毛髪化粧料であってもよい。また、２種類の薬剤を混合して使用する毛髪化粧料に限定されるものではなく、３種類以上の薬剤を混合して使用するものであってもよい。したがって、吐出用部材１の本体カバー部２に保持される包装体の数も２つに限定されるものではなく、３つ以上であってもよい。なお、毛髪化粧料以外の内容物であっても、本発明を適用することは可能である。
【符号の説明】
【００６３】
１…吐出用部材
２…本体カバー部
２１…第１挟持部（挟持部）
２２…第２挟持部（挟持部）
３１…第１保持部
３２…第２保持部
８１、８２…包装体
８１０、８２０…内容物
８１１、８２１…吐出側端部
８１２、８２２…反吐出側端部
【図１】
0006537244.tif 000002
【図２】
0006537244.tif 000003
【図３】
0006537244.tif 000004
【図４】
0006537244.tif 000005
【図５】
0006537244.tif 000006
【図６】
0006537244.tif 000007
【図７】
0006537244.tif 000008
【図８】
0006537244.tif 000009